(57)【要約】【課題】電気接続箱内の空きスペースの有効利用を図りつつ電線の束の電線接続部を収容でき、それにより電気接続箱内に配索された電線の安定性を向上させることができるカセット式の電線接続部収容カバー、および該電線接続部収容カバーを備えた電気接続箱を提供すること。【解決手段】カセット式の電線接続部収容カバー１は、電気接続箱１０の接続箱本体１１内に形成された部品取付貫通部１７に嵌め込み可能なカセット式のリレー、ヒューズ、等といった電気部品の代わりに、部品取付貫通部１７に嵌め込まれる部材である。電気接続箱１０内に配索された電線ａの束の端部の導体を互いに電気的に接続することにより形成された当該電線の束の電線接続部が、カバー本体２の下面の収容穴に収容される。【選択図】図４
2007066662.tif 000002
【特許請求の範囲】
【請求項１】
電気接続箱内の部品取付貫通部に嵌め込み可能な電気部品の代わりに前記部品取付貫通部に嵌め込み可能なカセット式の電線接続部収容カバーであって、
収容穴を少なくとも一つ有するカバー本体と、
前記カバー本体の外面上に形成され且つ、前記部品取付貫通部に前記カバー本体が挿入された際に前記カバー本体が前記部品取付貫通部に保持されるように前記部品取付貫通部の係合部に係止される係止部と、
を備え、
前記電気接続箱内に配索された電線の束の端部の導体を互いに電気的に接続することにより形成された当該電線の束の電線接続部が、前記収容穴に収容されることを特徴とするカセット式の電線接続部収容カバー。
【請求項２】
接続箱本体と、
前記接続箱本体に形成された部品取付貫通部と、
前記部品取付貫通部に嵌め込まれたカセット式の電線接続部収容カバーと、
を備える電気接続箱であって、
前記電線接続部収容カバーが、収容穴を少なくとも一つ有するカバー本体と、前記カバー本体の外面上に形成され且つ、前記部品取付貫通部に前記カバー本体が挿入された際に前記カバー本体が前記部品取付貫通部に保持されるように前記部品取付貫通部の係合部に係止される係止部と、を有し、そして
前記接続箱本体上に配索された電線の束の端部の導体を互いに電気的に接続することにより形成された当該電線の束の電線接続部が、前記収容穴に収容されたことを特徴とする電気接続箱。
【発明の詳細な説明】
【技術分野】
【０００１】
本発明は、例えば自動車等といった車両に用いられる例えばリレー・ボックス、ヒューズ・ボックス、等といった電気接続箱（即ち、エレクトリック・ジャンクション・ブロック）に係り、特に、電気接続箱内に配索された電線の束の端部の導体を互いに電気的に接続することにより形成された電線接続部を収容且つ保護するための電線接続部収容カバーおよび該電線接続部収容カバーを備えた電気接続箱に関する。
【背景技術】
【０００２】
電線接続部を収容且つ保護する構造としては、図７に示されるように、束にされた複数の電線（即ち、電線の束）ａの端部において絶縁被覆から露出されている電線接続部ｂに樹脂キャップｃを被せるようにした構造が知られている。その他、図８に示されるように、束にされた複数の電線ａの外径に応じて締付け可能なクランプ部材ｄを用いて電線ａを結束し、弾性を有する樹脂キャップｃ１を電線ａの端部の電線接続部ｂに被せるようにした構造も知られている。このように樹脂キャップが被せられた電線の電線接続部のことを特に自動車関連業界では『ボンダー』と呼ぶ。
【０００３】
一般に上述のボンダーは電気接続箱内で垂れ下がる等して放置されるものである。尚、電気接続箱内で電線接続部を収容且つ保護する構造については、上述のボンダーのように樹脂キャップを用いた構造だけでなく、安全性等を考慮して様々な提案が為されている（例えば、特許文献１参照）。しかし、上述のボンダーを電気接続箱内で単に放置するのは電気接続箱内に配索された電線の安定性の上で好ましいとは言えず、また上述のボンダー、あるいは電線端部で絶縁被覆から露出された電線接続部の収容のために単に電気接続箱内に特別な構造を設けたとしても、電気接続箱内スペースの有効利用を考慮すると、好ましいとは言えない。
【０００４】
ところで、最新の電気接続箱はその接続箱本体がフレーム構造を採っており、数種類あるカセット式のリレー、ヒューズ、等といった電気部品が車両のグレードに応じて接続箱本体に嵌め込まれ、それにより収容される。従って、車両のグレードによっては、不必要なカセット式の電気部品は接続箱本体に嵌め込まれず、それ故、接続箱本体において当該電気部品を嵌め込むために設けられている幾つかの部品取付貫通部が空いた状態となる。これは、電気接続箱内に無駄な空きスペースを生じさせるだけでなく、電気接続箱の内部、より具体的には、接続箱本体の下面と該下面を覆うように接続箱本体に取付けられる下カバーとの間に配索されている電線等が、上カバーを外した接続箱本体を上から見た際、部品取付貫通部を通して見えてしまい、意匠的にも好ましくない。
【０００５】
【特許文献１】特開平９−２２７４３号公報
【発明の開示】
【発明が解決しようとする課題】
【０００６】
本発明は、上述した事情に鑑みてなされたものであり、その目的は、電気接続箱内の空きスペースの有効利用を図りつつ電線の束の電線接続部を収容でき、それにより電気接続箱内に配索された電線の安定性を向上させることができるカセット式の電線接続部収容カバー、および該電線接続部収容カバーを備えた電気接続箱を提供することにある。
【課題を解決するための手段】
【０００７】
上述した目的を達成するため、本発明に係るカセット式の電線接続部収容カバーは、
電気接続箱内の部品取付貫通部に嵌め込み可能な電気部品の代わりに前記部品取付貫通部に嵌め込み可能なカセット式の電線接続部収容カバーであって、
収容穴を少なくとも一つ有するカバー本体と、
前記カバー本体の外面上に形成され且つ、前記部品取付貫通部に前記カバー本体が挿入された際に前記カバー本体が前記部品取付貫通部に保持されるように前記部品取付貫通部の係合部に係止される係止部と、
を備え、
前記電気接続箱内に配索された電線の束の端部の導体を互いに電気的に接続することにより形成された当該電線の束の電線接続部が、前記収容穴に収容されることを特徴とする。
【０００８】
この構成のカセット式の電線接続部収容カバーは、電気接続箱内の部品取付貫通部に嵌め込み可能なカセット式のリレー、ヒューズ、等といった電気部品の代わりに部品取付貫通部に嵌め込み可能であり、電気接続箱内の空きスペースを奪うような特別な収容構造を電気接続箱内に新たに設ける必要がないので、電気接続箱内の空きスペースの有効利用を図ることができる。また、この構成のカセット式の電線接続部収容カバーは、電気接続箱内の部品取付貫通部に嵌め込まれた状態で、電線の束の電線接続部をカバー本体の収容穴に収容するので、電気接続箱内に配索された電線の安定性を向上させることができる。尚、この構成のカセット式の電線接続部収容カバーの収容穴に収容される電線の束の電線接続部は、露出された状態のものであっても、あるいは樹脂キャップが被せられた状態のものであってもよい。
【０００９】
また、上述した目的を達成するため、本発明に係る電気接続箱は、
接続箱本体と、
前記接続箱本体に形成された部品取付貫通部と、
前記部品取付貫通部に嵌め込まれたカセット式の電線接続部収容カバーと、
を備える電気接続箱であって、
前記電線接続部収容カバーが、収容穴を少なくとも一つ有するカバー本体と、前記カバー本体の外面上に形成され且つ、前記部品取付貫通部に前記カバー本体が挿入された際に前記カバー本体が前記部品取付貫通部に保持されるように前記部品取付貫通部の係合部に係止される係止部と、を有し、そして
前記接続箱本体上に配索された電線の束の端部の導体を互いに電気的に接続することにより形成された当該電線の束の電線接続部が、前記収容穴に収容されたことを特徴とする。
【００１０】
この構成では、電気接続箱内の部品取付貫通部にカセット式の電線接続部収容カバーが嵌め込まれ、当該部品取付貫通部には本来カセット式のリレー、ヒューズ、等といった電気部品が嵌め込まれるものとすれば、電気接続箱内の空きスペースを奪うような特別な収容構造を電気接続箱内に新たに設ける必要がないので、電気接続箱内の空きスペースの有効利用を図ることができる。また、この構成では、電気接続箱内の部品取付貫通部に嵌め込まれた状態で、電線の束の電線接続部をカバー本体の収容穴に収容するので、電気接続箱内に配索された電線の安定性を向上させることができる。尚、この構成のカセット式の電線接続部収容カバーの収容穴に収容される電線の束の電線接続部は、露出された状態のものであっても、あるいは樹脂キャップが被せられた状態のものであってもよい。
【発明の効果】
【００１１】
本発明によれば、電気接続箱内の空きスペースの有効利用を図りつつ電線の束の電線接続部を収容でき、それにより電気接続箱内に配索された電線の安定性を向上させることができる。
【００１２】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１３】
以下、本発明に係る好適な実施形態を図１〜図６に加えて、既に説明した図７および図８も参照しながら詳細に説明する。
【００１４】
図１は本発明に係るカセット式の電線接続部収容カバーの実施形態を上方から見た斜視図、図２は本発明に係るカセット式の電線接続部収容カバーの実施形態を下方から見た斜視図、図３は本発明に係るカセット式の電線接続部収容カバーを備えた電気接続箱の実施形態を上方から見た斜視図、図４は上カバーが取り外された図３の電気接続箱の実施形態を部分的に示す斜視図、図５は図１および図２に示されるカセット式の電線接続部収容カバーを図４の電気接続箱の接続箱本体単体に嵌め込んだ状態を示す接続箱本体および電線接続部収容カバーの上面図、そして図６は図１および図２に示されるカセット式の電線接続部収容カバーを図４の電気接続箱の接続箱本体単体に嵌め込んだ状態を示す接続箱本体および電線接続部収容カバーの下面図である。
【００１５】
図１および図２に示されるカセット式の電線接続部収容カバー１は、図３〜図６に示される電気接続箱１０の接続箱本体１１内に形成された部品取付貫通部１７に嵌め込み可能なカセット式のリレー、ヒューズ、等といった電気部品（不図示）の代わりに、部品取付貫通部１７に嵌め込み可能な部材である。
【００１６】
この電線接続部収容カバー１は、図２に示されるように、下面で開口する４つの収容穴５を有するカバー本体２と、カバー本体２の外周面３上に形成され且つ、図４〜図６に示されるように部品取付貫通部１７にカバー本体２が挿入された際にカバー本体２が部品取付貫通部１７に保持されるように部品取付貫通部１７の２つの係合部（具体的には一般的な係合溝）１８にそれぞれ係止される２つの片持ち状の係止部（具体的には自由端部の表面に係合部１８と係合する突起を有する一般的なもの）４と、を備える。
【００１７】
カバー本体２の外周面３により形成される電線接続部収容カバー１の輪郭は、係止部４も含めて、カセット式のリレー、ヒューズ、等といった電気部品（不図示）の輪郭と同一である。尚、収容穴５は少なくとも一つカバー本体２に設けられていればよい。また、係止部４は少なくとも一つカバー本体２に設けられていればよく、よって係合部１８も少なくとも一つ各部品取付貫通部１７に設けられていればよい。
【００１８】
図３〜図６に示されるように、電気接続箱１０は、接続箱本体１１と、接続箱本体１１の上部に取付けられる上カバー１９Ｕと、接続箱本体１１の下部に取付けられる下カバー１９Ｌと、を備える。そして、接続箱本体１１と下カバー１９Ｌとの間に配索された例えば図７または図８の電線ａの束の電線接続部ｂが、図６に示されるように収容穴５に収容される。この際、電線接続部ｂは、露出された状態のものであっても、あるいは例えば図７の樹脂キャップｃまたは図８の樹脂キャップｃ１が被せられた状態のものであってもよい。また、電線ａの束、電線接続部ｂ、あるいは樹脂キャップ（ｃ，ｃ１）が収容穴５から容易に抜け出ないように、接着剤を介在させたり、保持部材を介在させたり、あるいは収容穴５の穴径自体を小さくしたり、このように適宜な係止手段を採用すると更に好ましい。尚、図３および図４には電線ａの束がテープ巻きされて電気接続箱１０外へ引き出された状態が示される。
【００１９】
この構成のカセット式の電線接続部収容カバー１は、電気接続箱１０内の部品取付貫通部１７に嵌め込み可能なカセット式のリレー、ヒューズ、等といった電気部品（不図示）の代わりに部品取付貫通部１７に嵌め込み可能であり、電気接続箱１０内の空きスペースを奪うような特別な収容構造を電気接続箱１０内に新たに設ける必要がないので、電気接続箱１０内の空きスペースの有効利用を図ることができる。また、この構成のカセット式の電線接続部収容カバー１は、電気接続箱１０内の部品取付貫通部１７に嵌め込まれた状態で、電線ａの束の電線接続部ｂをカバー本体２の収容穴５に収容するので、電気接続箱１０内に配索された電線ａの安定性を向上させることができる。また、電気接続箱１０の内部、より具体的には、接続箱本体１１の下面と該下面を覆うように接続箱本体１１に取付けられる下カバー１９Ｌとの間に配索されている電線ａ等が、図４に示されるように上カバー１９Ｕを外した接続箱本体１１を真上から見た際、部品取付貫通部１７を通して略見えないので、意匠的にも好ましい。
【００２０】
尚、本発明は、前述した実施形態に限定されるものではなく、適宜、変形、改良、等が可能である。その他、前述した実施形態における各構成要素の材質、形状、寸法、数値、形態、数、配置箇所、等は本発明を達成できるものであれば任意であり、限定されない。
【００２１】
本発明は、電気接続箱内の空きスペースの有効利用を図りつつ電線の束の電線接続部を収容でき、それにより電気接続箱内に配索された電線の安定性を向上させることができるので、例えば自動車等といった車両に用いられる例えばリレー・ボックス、ヒューズ・ボックス、等といった電気接続箱に有用である。
【図面の簡単な説明】
【００２２】
【図１】本発明に係るカセット式の電線接続部収容カバーの実施形態を上方から見た斜視図である。
【図２】本発明に係るカセット式の電線接続部収容カバーの実施形態を下方から見た斜視図である。
【図３】本発明に係るカセット式の電線接続部収容カバーを備えた電気接続箱の実施形態を上方から見た斜視図である。
【図４】上カバーが取り外された図３の電気接続箱の実施形態を部分的に示す斜視図である。
【図５】図１および図２に示されるカセット式の電線接続部収容カバーを図４の電気接続箱の接続箱本体単体に嵌め込んだ状態を示す接続箱本体および電線接続部収容カバーの上面図である。
【図６】図１および図２に示されるカセット式の電線接続部収容カバーを図４の電気接続箱の接続箱本体単体に嵌め込んだ状態を示す接続箱本体および電線接続部収容カバーの下面図である。
【図７】電線接続部に樹脂キャップを被せる構造の従来例を示す斜視図である。
【図８】電線接続部に樹脂キャップを被せる構造の他の従来例を示す斜視図である。
【符号の説明】
【００２３】
１：カセット式の電線接続部収容カバー
２：カバー本体
３：カバー本体の外周面（外面）
４：係止部
５：収容穴
１０：電気接続箱
１１：接続箱本体
１７：部品取付貫通部
１８：係合部
１９Ｕ：上カバー
１９Ｌ：下カバー
ａ：複数の電線
ｂ：電線の束の電線接続部
ｃ，ｃ１：樹脂キャップ
【図１】
2007066662.tif 000003
【図２】
2007066662.tif 000004
【図３】
2007066662.tif 000005
【図４】
2007066662.tif 000006
【図５】
2007066662.tif 000007
【図６】
2007066662.tif 000008
【図７】
2007066662.tif 000009
【図８】
2007066662.tif 000010